【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
所定の入力操作によって、前記複数の判定確率のうち所定の判定確率を選択可能な判定確率選択手段と、
前記判定確率選択手段で選択された所定の判定確率を、前記判定手段の判定確率として設定可能な判定確率設定手段と、
発射球数と賞球数とからベース値を算出するベース値算出手段と、
前記判定確率設定手段で設定した判定確率を示す情報を少なくとも含む遊技状態情報と、前記ベース値算出手段が算出したベース値を含む特定遊技状態情報と、を記憶可能な遊技状態情報記憶手段と、
電力供給を行う電力供給手段と、
電源電圧の低下を検知することに基づいて、前記遊技状態情報記憶手段に記憶される前記遊技状態情報及び前記特定遊技状態情報を、電力供給の停止後も所定期間記憶保持可能な記憶保持手段と、
前記電力供給手段が電力供給を開始した際に、前記記憶保持手段が記憶保持した前記遊技状態情報及び前記特定遊技状態情報に基づいて、電源電圧の低下を検知したときの前記遊技状態情報及び前記特定遊技状態情報を復旧する遊技状態情報復旧手段と、
前記電力供給手段が電力供給を開始した際に、前記記憶保持手段が記憶保持した前記遊技状態情報を消去して前記特定遊技状態情報を消去せず、電源電圧の低下を検知したときの前記特定遊技状態情報を復旧して前記遊技状態情報を復旧しない遊技状態情報初期化手段と、を備え、
前記遊技状態情報記憶手段に記憶された判定確率に基づいて、前記判定手段が判定を行う遊技機であって、
前記判定確率設定手段は、
前記遊技状態情報初期化手段によって前記遊技状態情報を復旧することなく遊技を開始する場合には、前記判定手段の判定確率を変更可能とし、
前記遊技状態情報復旧手段によって遊技状態情報を復旧して遊技を開始する場合には、前記判定手段の判定確率を変更不能とし、
前記遊技状態情報復旧手段は、前記判定手段の判定確率を変更する場合であっても、前記判定手段の判定確率を変更しない場合であっても、前記特定遊技状態情報を復旧して遊技を開始する
ことを特徴とする遊技機。
【請求項２】
所定の入力操作を行うことが可能な第１スイッチと、所定の入力操作を行うことが可能な第２スイッチと、を備え、
前記遊技状態初情報期化手段は、前記第１スイッチの操作を伴うことで前記遊技状態情報を消去して前記特定遊技状態情報を消去せず、
前記特定遊技状態情報は、前記第２スイッチの操作を伴うことで消去可能とすることを特徴とする請求項１に記載の遊技機。

【手続補正２】
【補正対象書類名】明細書
【補正対象項目名】０００５
【補正方法】変更
【補正の内容】
【０００５】
本発明は、前述の事情に鑑みてなされたものであり、不正防止を図ることが可能な遊技機を提供するものである。
【手続補正３】
【補正対象書類名】明細書
【補正対象項目名】０００６
【補正方法】変更
【補正の内容】
【０００６】
前述の課題を解決するための第１発明の遊技機は、
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
所定の入力操作によって、前記複数の判定確率のうち所定の判定確率を選択可能な判定確率選択手段と、
前記判定確率選択手段で選択された所定の判定確率を、前記判定手段の判定確率として設定可能な判定確率設定手段と、
発射球数と賞球数とからベース値を算出するベース値算出手段と、
前記判定確率設定手段で設定した判定確率を示す情報を少なくとも含む遊技状態情報と、前記ベース値算出手段が算出したベース値を含む特定遊技状態情報と、を記憶可能な遊技状態情報記憶手段と、
電力供給を行う電力供給手段と、
電源電圧の低下を検知することに基づいて、前記遊技状態情報記憶手段に記憶される前記遊技状態情報及び前記特定遊技状態情報を、電力供給の停止後も所定期間記憶保持可能な記憶保持手段と、
前記電力供給手段が電力供給を開始した際に、前記記憶保持手段が記憶保持した前記遊技状態情報及び前記特定遊技状態情報に基づいて、電源電圧の低下を検知したときの前記遊技状態情報及び前記特定遊技状態情報を復旧する遊技状態情報復旧手段と、
前記電力供給手段が電力供給を開始した際に、前記記憶保持手段が記憶保持した前記遊技状態情報を消去して前記特定遊技状態情報を消去せず、電源電圧の低下を検知したときの前記特定遊技状態情報を復旧して前記遊技状態情報を復旧しない遊技状態情報初期化手段と、を備え、
前記遊技状態情報記憶手段に記憶された判定確率に基づいて、前記判定手段が判定を行う遊技機であって、
前記判定確率設定手段は、
前記遊技状態情報初期化手段によって前記遊技状態情報を復旧することなく遊技を開始する場合には、前記判定手段の判定確率を変更可能とし、
前記遊技状態情報復旧手段によって遊技状態情報を復旧して遊技を開始する場合には、前記判定手段の判定確率を変更不能とし、
前記遊技状態情報復旧手段は、前記判定手段の判定確率を変更する場合であっても、前記判定手段の判定確率を変更しない場合であっても、前記特定遊技状態情報を復旧して遊技を開始する
ことを特徴とするものである。

【手続補正４】
【補正対象書類名】明細書
【補正対象項目名】０００７
【補正方法】変更
【補正の内容】
【０００７】
また、第２発明の遊技機は、第１発明の遊技機において、
所定の入力操作を行うことが可能な第１スイッチと、所定の入力操作を行うことが可能な第２スイッチと、を備え、
前記遊技状態初情報期化手段は、前記第１スイッチの操作を伴うことで前記遊技状態情報を消去して前記特定遊技状態情報を消去せず、
前記特定遊技状態情報は、前記第２スイッチの操作を伴うことで消去可能とすることを特徴とするものである。

【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明の遊技機によれば、不正防止を図ることが可能となる。